(57)【要約】【課題】絶縁体に蓄積した電荷が放電を起こすことにより、アンテナ又は薄膜トランジスタを有する回路を破壊してしまう問題（静電気破壊の問題）を解決することを目的とする。【解決手段】第１の絶縁体と、前記第１の絶縁体上に設けられた薄膜トランジスタを有する回路と、前記回路上に設けられ、前記回路と電気的に接続されたアンテナと、前記アンテナ上に設けられた第２の絶縁体と、を有し、前記第１の絶縁体と前記回路との間に第１の導電膜が設けられ、前記第２の絶縁体と前記アンテナとの間に第２の導電膜が設けられる。【選択図】図１
2010097601.tif 000002
【特許請求の範囲】
【請求項１】
第１の絶縁体と、
前記第１の絶縁体上に設けられた薄膜トランジスタを有する回路と、
前記回路上に設けられ、前記回路と電気的に接続されたアンテナと、
前記アンテナ上に設けられた第２の絶縁体と、を有し、
前記第１の絶縁体と前記回路との間に第１の導電膜が設けられており、
前記第２の絶縁体と前記アンテナとの間に第２の導電膜が設けられていることを特徴とする半導体装置。
【請求項２】
第１の絶縁体と、
前記第１の絶縁体上に設けられた薄膜トランジスタを有する回路と、
前記回路上に設けられ、前記回路と電気的に接続されたアンテナと、
前記アンテナ上に設けられた第２の絶縁体と、を有し、
前記第１の絶縁体と前記回路との間に第１の導電膜が設けられており、
前記回路と前記アンテナとの間に第２の導電膜が設けられていることを特徴とする半導体装置。
【請求項３】
請求項１又は請求項２において、
前記第１の絶縁体及び前記第２の絶縁体は、繊維体に有機樹脂が含浸した構造を有することを特徴とする半導体装置。
【請求項４】
請求項１乃至請求項３のいずれか一項において、
前記第１の導電膜と前記第２の導電膜とは電気的に接続されていることを特徴とする半導体装置。
【発明の詳細な説明】
【技術分野】
【０００１】
技術分野はアンテナを有する半導体装置に関する。
【背景技術】
【０００２】
ユビキタスコンピューティングの実現を目指して、アンテナを介して無線通信を行う半導体装置（ＲＦＩＤタグ、無線タグ、ＩＣチップ、無線チップ、非接触信号処理装置、半導体集積回路チップともいう）の開発が進められている。（例えば特許文献１参照）
【先行技術文献】
【特許文献】
【０００３】
【特許文献１】特開２００７−５７７８号公報
【発明の概要】
【発明が解決しようとする課題】
【０００４】
アンテナを介して無線通信を行う半導体装置は、アンテナ及び薄膜トランジスタを有する回路を保護するために、アンテナ及び薄膜トランジスタを有する回路をエポキシ樹脂等で挟み込んでいる。
【０００５】
ところが、エポキシ樹脂等の絶縁体は電荷を蓄積しやすい性質を有する。
【０００６】
したがって、絶縁体に蓄積した電荷が放電を起こすことにより、アンテナ又は薄膜トランジスタを有する回路を破壊してしまう問題（静電気破壊の問題）が生じていた。
【０００７】
そこで、このような静電気破壊の問題を解決する発明を開示する。
【課題を解決するための手段】
【０００８】
アンテナ及び薄膜トランジスタを有する回路が一対の絶縁体に挟まれた構造を有する半導体装置であって、一対の絶縁体の外側又は内側に少なくとも一層の導電膜を形成することにより静電耐圧を向上させることによって、静電気破壊を低減させることができる。
【０００９】
なお、アンテナは薄膜トランジスタを有する回路を覆う層間絶縁膜を介して設けられている。
【００１０】
本発明者らの実験結果によると、アンテナ側から電圧が印加されるよりも、薄膜トランジスタ側から電圧が印加される方が静電気破壊が生じやすいことがわかっている。
【００１１】
そこで、導電膜は薄膜トランジスタ側に設けると好ましい。
【００１２】
また、本発明者らの実験結果によると、アンテナ側にも導電膜を設けることによって、アンテナ側の静電耐圧が向上することがわかっている。
【００１３】
そこで、導電膜をアンテナ側に設けると好ましい。
【００１４】
即ち、導電膜を薄膜トランジスタ側及びアンテナ側の両方に設けることによって、両方の電圧印加に対する静電耐圧が向上する。
【００１５】
よって、導電膜を薄膜トランジスタ側及びアンテナ側の両方に設けると好ましい。
【００１６】
特に、近年普及している駅の自動改札で用いられる非接触型ＩＣカードのように、表も裏も関係なく、両面から電波を送受信し得る半導体装置の場合は、薄膜トランジスタ側とアンテナ側の両方に導電膜を設けると好ましい。
【００１７】
なお、一対の絶縁体の外側に導電膜を設けた場合、導電膜が露出した状態となる。
【００１８】
すると、使用を重ねるうちに、露出した導電膜が摩擦等により剥がれてしまい静電気破壊防止効果が著しく減少してしまうことがある。
【００１９】
そこで、一対の絶縁体の内側に導電膜を設けることにより、導電膜を一対の絶縁体により保護することができる。もちろん一対の絶縁体の外側に導電膜を設けても良いし、外側と内側の両方に導電膜を設けても良い。
【００２０】
なお、摩擦等により導電膜が剥がれてしまう問題は、導電物が膜状であるゆえに生じる問題である。厚さを充分に有する導電物（例えば導電性の基板等）を用いるときはこのような問題は生じない。
【００２１】
また、アンテナより外側に導電膜が存在すると、導電膜により少なからず共振周波数が減少するという問題が生じる。そして、共振周波数の減少が大きいと通信距離が低下する問題が生じる。
【００２２】
そこで、アンテナと薄膜トランジスタを有する回路の間に導電膜を形成することによって、アンテナが露出するので、導電膜により共振周波数が減少する問題を解決することができる。
【００２３】
また、アンテナ側と薄膜トランジスタ側の両方に導電膜を設ける場合、両方の導電膜同士を電気的に接続することにより、誘電分極による静電気破壊の影響を低減することができるので好ましい。
【００２４】
つまり、第１の絶縁体と、前記第１の絶縁体上に設けられた薄膜トランジスタを有する回路と、前記回路上に設けられ、前記回路と電気的に接続されたアンテナと、前記アンテナ上に設けられた第２の絶縁体と、を有し、前記第１の絶縁体と前記回路との間に第１の導電膜が設けられており、前記第２の絶縁体と前記アンテナとの間に第２の導電膜が設けられていることを特徴とする半導体装置が好ましい。
【００２５】
また、第１の絶縁体と、前記第１の絶縁体上に設けられた薄膜トランジスタを有する回路と、前記回路上に設けられ、前記回路と電気的に接続されたアンテナと、前記アンテナ上に設けられた第２の絶縁体と、を有し、前記第１の絶縁体と前記回路との間に第１の導電膜が設けられており、前記回路と前記アンテナとの間に第２の導電膜が設けられていることを特徴とする半導体装置が好ましい。
【００２６】
なお、前記第１の絶縁体及び前記第２の絶縁体は、繊維体に有機樹脂が含浸した構造であると好ましい。また、前記第１の導電膜と前記第２の導電膜とが電気的に接続されていると好ましい。
【発明の効果】
【００２７】
アンテナ及び薄膜トランジスタを有する回路が一対の絶縁体に挟まれた構造を有する半導体装置であって、一対の絶縁体の外側又は内側に少なくとも一層の導電膜を形成することにより静電耐圧を向上させることができる。
【００２８】
また、一対の絶縁体の内側に導電膜を設けることによって、導電膜を一対の絶縁体により保護することができるので、摩擦等により膜状の導電物（導電膜）が剥がれてしまうことを防止することができる。
【００２９】
また、アンテナ側と薄膜トランジスタ側の両方に導電膜を設ける場合、両方の導電膜同士を電気的に接続することにより、誘電分極による静電気破壊の影響を低減することができる。
【図面の簡単な説明】
【００３０】
【図１】半導体装置の一例
【図２】半導体装置の一例
【図３】半導体装置の一例
【図４】半導体装置の作製方法の一例
【図５】半導体装置の作製方法の一例
【図６】半導体装置の作製方法の一例
【図７】半導体装置の作製方法の一例
【図８】半導体装置の作製方法の一例
【図９】半導体装置の作製方法の一例
【図１０】半導体装置の作製方法の一例
【図１１】半導体装置の一例
【図１２】半導体装置の一例
【図１３】半導体装置の一例
【図１４】半導体装置の一例
【図１５】半導体装置の一例
【図１６】プリプレグ上面図
【図１７】実施例１で作製した構造の比較
【図１８】回路図の一例
【図１９】実施例１の測定結果
【発明を実施するための形態】
【００３１】
実施の形態及び実施例について、図面を用いて詳細に説明する。
【００３２】
但し、開示する発明は以下の説明に限定されないこと、並びに、開示する発明の趣旨及びその範囲から逸脱することなくその形態及び詳細を様々に変更し得ることは、当業者であれば容易に理解される。
【００３３】
従って、開示する発明は以下に示す実施の形態及び実施例の記載内容に限定して解釈されるものではない。
【００３４】
なお、以下に説明する発明の構成において、同一部分又は同様な機能を有する部分には同一の符号を異なる図面間で共通して用い、その繰り返しの説明は省略する。
【００３５】
（実施の形態１）
本実施の形態では、半導体装置の構造について説明する。
【００３６】
本実施形態の半導体装置は、有機樹脂１０１が含浸された繊維体１０２からなる第１の絶縁体と、第１の導電膜１０３と、第１の絶縁膜１０４と、薄膜トランジスタを有する回路が設けられた層１０５と、アンテナが設けられた層１０６と、第２の絶縁膜１０７と、第２の導電膜１０８と、有機樹脂１０９が含浸された繊維体１１０からなる第２の絶縁体と、が順次積層された構造を有する。（図１参照）
【００３７】
なお、アンテナは層間絶縁膜を介して薄膜トランジスタを有する回路と電気的に接続されている。
【００３８】
有機樹脂１０１及び有機樹脂１０９は、熱硬化性樹脂又は熱可塑性樹脂等を用いることができる。
【００３９】
熱硬化性樹脂としては、エポキシ樹脂、不飽和ポリエステル樹脂、ポリイミド樹脂、ビスマレイミドトリアジン樹脂、またはシアネート樹脂等がある。
【００４０】
熱可塑性樹脂としては、ポリフェニレンオキシド樹脂、ポリエーテルイミド樹脂、またはフッ素樹脂等がある。
【００４１】
熱硬化性樹脂又は熱可塑性樹脂を用いることによって、熱圧着が可能となるので製造工程が簡便になるので有利である。
【００４２】
また、繊維体１０２及び繊維体１１０は、織布または不織布である。
【００４３】
織布は、複数の繊維を織って布状にしたものである。
【００４４】
不織布は、複数の繊維を織らずに融着、接着、絡ませる等の方法で布状にしたものである。
【００４５】
繊維としては、ポリビニルアルコール系繊維、ポリエステル系繊維、ポリアミド系繊維、ポリエチレン系繊維、アラミド系繊維、ポリパラフェニレンベンゾビスオキサゾール繊維、ガラス繊維、または炭素繊維等を用いることができる。
【００４６】
ガラス繊維としては、Ｅガラス、Ｓガラス、Ｄガラス、Ｑガラス等を用いたガラス繊維等がある。
【００４７】
なお、複数の繊維の材料を一種類だけ用いて繊維体を形成しても良いし、複数の繊維の材料を複数種類用いて繊維体を形成しても良い。
【００４８】
第１の絶縁体及び第２の絶縁体は、繊維体４００（繊維体１０２、繊維体１１０に対応）に有機樹脂４０１（有機樹脂１０１及び有機樹脂１０９に対応）が含浸された構造を有する。（図１６参照）
【００４９】
有機樹脂が含浸された繊維体からなる絶縁体はプリプレグとも呼ばれる。
【００５０】
プリプレグとして、代表的には繊維体にマトリックス樹脂を有機溶剤で希釈したワニスを含浸させた後、乾燥して有機溶剤を揮発させてマトリックス樹脂を半硬化させたものがある。
【００５１】
プリプレグの厚さが１０μｍ以上１００μｍ以下であると、薄型で湾曲することが可能な半導体装置を作製することができるので好ましい。
【００５２】
なお、第１の絶縁体及び第２の絶縁体は、繊維体を有さない有機樹脂のみからなるものを用いても良い。
【００５３】
この場合の有機樹脂は、エポキシ樹脂、不飽和ポリエステル樹脂、ポリイミド樹脂、ビスマレイミドトリアジン樹脂、シアネート樹脂、ポリフェニレンオキシド樹脂、ポリエーテルイミド樹脂、またはフッ素樹脂等を用いることができる。
【００５４】
但し、プリプレグは、繊維体を有しているため、引っ張り及び曲げへの高い耐久性と、局所的な圧力を拡散する機能と、を有する。
【００５５】
よって、繊維体を有するプリプレグを第１の絶縁体及び第２の絶縁体に用いた方が好ましい。
【００５６】
また、第１の導電膜１０３及び第２の導電膜１０８を有することによって、第１の絶縁体及び第２の絶縁体に局所的に蓄積した静電気を拡散することができるようになるので、局所的に静電気が大量に蓄積して放電することを防止することができるようになる。
【００５７】
第１の導電膜１０３及び第２の導電膜１０８としては、チタン、モリブデン、タングステン、アルミニウム、窒化チタン、窒化タンタル、窒化タングステン、インジウム酸化物、酸化珪素を含有したインジウム錫酸化物等を用いることができる。なお、導電性を有していれば静電耐圧向上効果を有することができるので、列挙した材料に限定されることはない。なお、複数の島状導電膜、網目状の導電膜等のように隙間を有する導電膜を形成すると、隙間から電磁波が透過しやすくなるので好ましい。また、両側に導電膜を設ける場合、一方を透光性導電膜（インジウム酸化物、酸化珪素を含有したインジウム錫酸化物等）、他方を遮光性導電膜（チタン、モリブデン、タングステン、アルミニウム等）にしておくことにより、表裏の区別が付きやすくなるので好ましい。表裏の区別をつける理由は、半導体装置に信号を入力する際、アンテナが配置されている表側から信号を入力する方が読み取りがしやすくなるからである。
【００５８】
薄膜トランジスタを有する回路が設けられた層１０５について、薄膜トランジスタはスイッチング素子として機能すればどのような構造を有していても良い。例えば、トップゲート型薄膜トランジスタでも良いし、ボトムゲート型薄膜トランジスタでも良い。
【００５９】
なお、スイッチング素子として機能すれば良いので、薄膜トランジスタに替えてＭＩＭ素子等のスイッチング素子を用いても良い。また、シリコンウェハを用いて形成したスイッチング素子を用いても良い。
【００６０】
第１の絶縁膜１０４は、薄膜トランジスタを有する回路が設けられた層１０５の下に設けられる下地絶縁膜である。
【００６１】
第１の導電膜１０３と薄膜トランジスタを有する回路が設けられた層１０５との間に、下地絶縁膜が存在することによって、第１の導電膜１０３により薄膜トランジスタ同士が電気的に接続されてしまうことによる回路のショートを防止することができる。
【００６２】
第１の絶縁膜１０４（下地絶縁膜）としては、酸化珪素膜、窒化珪素膜、有機樹脂膜等を用いることができる。
【００６３】
アンテナが設けられた層１０６のアンテナとしては、チタン、モリブデン、タングステン、アルミニウム、銅、銀、金、ニッケル、白金、パラジウム、イリジウム、ロジウム、タンタル、カドミウム、亜鉛、鉄等を用いることができる。
【００６４】
アンテナの形状は、直線状、曲線状、蛇行形状、コイル状、リボン状又はこれらを組み合わせた形状等を用いることができる。
【００６５】
なお、２種類のアンテナを用いる電磁誘導方式のアンテナとしても良い。
【００６６】
例えば、回路と電気的に接続される第１のアンテナをコイル状とし、絶縁膜を介して前記第１のアンテナ上に第２のアンテナを設ける。絶縁膜は、酸化珪素膜、窒化珪素膜、有機樹脂膜等を用いることができる。
【００６７】
第２のアンテナの形状は、少なくともコイル状の第１の領域と、直線状、曲線状、蛇行形状、リボン状又はこれらを組み合わせた形状等を有する第２の領域とを有する。
【００６８】
第１の領域は第１のアンテナと重なる位置に配置されているので、第２の領域で受信した信号が電磁誘導により第１のアンテナに供給される。
【００６９】
このように２種類のアンテナを用いて電磁誘導により信号を伝える方式を電磁誘導方式という。
【００７０】
また、第２の絶縁膜１０７はアンテナの保護膜である。
【００７１】
保護膜を有することによって、プリプレグ等の熱圧着時にアンテナを保護することができる。
【００７２】
さらに、第２の導電膜１０８とアンテナが設けられた層１０６との間に第２の絶縁膜１０７が設けられていることによって、第２の導電膜１０８とアンテナとのショートを防止できる。
【００７３】
第２の絶縁膜１０７としては、酸化珪素膜、窒化珪素膜、有機樹脂膜等を用いることができる。
【００７４】
なお、第１の導電膜１０３、第１の絶縁膜１０４、アンテナ、第２の絶縁膜１０７、及び第２の導電膜１０８は、単層構造及び積層構造のいずれを用いても良い。
【００７５】
また、第１の絶縁体及び第２の絶縁体は、片面又は両面にアラミド等の緩衝体を設けることにより圧力に対する耐性を向上させることができるので好ましい。
【００７６】
特に、第１の絶縁体及び第２の絶縁体の外側に設けると外部からの圧力を直接的に緩和できるので好ましい。
【００７７】
以上のように、第１の導電膜１０３及び第２の導電膜１０８を設けることによって、静電耐圧を向上させることができる。
【００７８】
特に、繊維体を用いる場合、膜状の導電物（第１の導電膜１０３、第２の導電膜１０８等）を少なくとも一層設けることによって、圧力及び応力という力学的な力に対する耐性向上と、静電気という電気的な力に対する耐性向上と、の双方を同時に達成できる。
【００７９】
膜状の導電物を少なくとも一層設けるという構成は非常にシンプルであるので、どのような絶縁体にも適用できる。
【００８０】
よって、適用の幅が非常に広い構成であるといえる。
【００８１】
なお、変形例としてプリプレグを構成する有機樹脂の中に複数の導電性粒子を含有させる方法（プリプレグの内部に導電性を持たせる方法）も適用可能である。
【００８２】
ただし、複雑な形状で絡み合った繊維の全てを複数の導電性粒子で電気的に接続させることは不可能に近いので局所的な静電気の蓄積を避けることは難しいかもしれない。
【００８３】
また、粒子と有機樹脂の混合物である以上、絶縁性の部分が必然的に残ってしまい、当該絶縁性の部分に静電気が局所的に蓄積する可能性がある。
【００８４】
よって、膜状の導電物を少なくとも一層設ける構成の方がより確実に静電気の蓄積が避けられるので好ましい。
【００８５】
膜状の導電物を全面を覆うように設けるので局所的な電荷の蓄積の防止効果が高くなるからである。
【００８６】
本実施の形態は、他の全ての実施の形態と組み合わせて実施することが可能である。
【００８７】
（実施の形態２）
本実施の形態では、実施の形態１の変形例について説明する。
【００８８】
本実施の形態の半導体装置も実施の形態１と同様に、有機樹脂１０１が含浸された繊維体１０２からなる第１の絶縁体と、第１の導電膜１０３と、第１の絶縁膜１０４と、薄膜トランジスタを有する回路が設けられた層１０５と、アンテナが設けられた層１０６と、第２の絶縁膜１０７と、第２の導電膜１０８と、有機樹脂１０９が含浸された繊維体１１０からなる第２の絶縁体と、が順次積層された構造を有する。（図２参照）
【００８９】
実施の形態１と異なる点は、第１の導電膜１０３と第２の導電膜１０８との導通を取るための導電体１１１と導電体１１２とを有する点である。（図２参照）
【００９０】
本実施の形態においては、導電体１１１と導電体１１２との２つの導電体を設けたが、第１の導電膜１０３と第２の導電膜１０８との導通を取ることができれば良いので、導電体の数は１つでも３つ以上でも良い。
【００９１】
第１の導電膜１０３と第２の導電膜１０８との導通を取る導電体を有することによって、第１の導電膜１０３と第２の導電膜１０８とが同電位に保たれる。
【００９２】
すると、第１の導電膜１０３と第２の導電膜１０８に挟まれた領域を通る経路に電流が流れることを防止することができる。
【００９３】
したがって、回路と垂直方向の電流により回路が破壊されてしまうことを防止することができるようになるのである。
【００９４】
本実施の形態は、他の全ての実施の形態と組み合わせて実施することが可能である。
【００９５】
（実施の形態３）
本実施形態では、実施の形態１又は実施の形態２の変形例について説明する。
【００９６】
膜状の導電物を少なくとも一層設ける構成であれば、如何なる構成でも静電耐圧向上効果を奏するので、図３（Ａ）〜（Ｆ）に示すような構成も適用可能である。
【００９７】
図３（Ａ）〜（Ｆ）において、第１の絶縁体２０１、下地絶縁膜上に回路が設けられた層２０２、アンテナが設けられた層２０３、保護膜２０４、第２の絶縁体２０５が順次積層された構造を有する。
【００９８】
そして、導電膜２０６〜２１２の形成位置がそれぞれ異なる。
【００９９】
なお、第１の絶縁体２０１、下地絶縁膜、回路、アンテナ、保護膜２０４、第２の絶縁体２０５の材料はそれぞれ、実施の形態１で説明した第１の絶縁体、下地絶縁膜、回路、アンテナ、保護膜、第２の絶縁体の材料を用いることができる。
【０１００】
図３（Ａ）は、導電膜２０６を、第１の絶縁体２０１及び第２の絶縁体２０５の外側であって、アンテナ側に形成したものである。
【０１０１】
図３（Ｂ）は、導電膜２０７を、第１の絶縁体２０１及び第２の絶縁体２０５の外側であって、薄膜トランジスタ側に形成したものである。
【０１０２】
図３（Ｃ）は、導電膜２０８を、第１の絶縁体２０１及び第２の絶縁体２０５の外側であって、アンテナ側に形成し、導電膜２０９を、第１の絶縁体２０１及び第２の絶縁体２０５の外側であって、薄膜トランジスタ側に形成したものである。なお、導電膜２０８と導電膜２０９とは電気的に接続されていない。
【０１０３】
図３（Ｄ）は、第１の絶縁体２０１及び第２の絶縁体２０５の外側全面を導電膜２１０で囲ったものである。
【０１０４】
図３（Ｅ）は、導電膜２１１を、第１の絶縁体２０１及び第２の絶縁体２０５の内側であって、アンテナ側に形成したものである。
【０１０５】
図３（Ｆ）は、導電膜２１２を、第１の絶縁体２０１及び第２の絶縁体２０５の内側であって、薄膜トランジスタ側に形成したものである。
【０１０６】
本実施の形態は、他の全ての実施の形態と組み合わせて実施することが可能である。
【０１０７】
（実施の形態４）
本実施の形態では、実施の形態１乃至３で説明した半導体装置の作製方法の一例について説明する。
【０１０８】
まず、基板３００（支持基板、回路作製用基板）上に、絶縁膜３０１、金属膜３０２、絶縁膜３０３、第１の導電膜５０１を順次形成する。（図４（Ａ）参照）
【０１０９】
基板３００（支持基板、回路作製用基板）は、ガラス基板、石英基板、金属基板、プラスチック基板等を用いることができる。
【０１１０】
絶縁膜３０１は、酸化珪素膜、窒化珪素膜、窒素を含む酸化珪素膜、酸素を含む窒化珪素膜、窒化アルミニウム膜、酸化アルミニウム膜等を用いることができる。絶縁膜３０１は、ＣＶＤ法、スパッタ法等で形成することができる。絶縁膜３０１の膜厚は１０ｎｍ〜５００ｎｍが好ましい。なお、絶縁膜３０１の形成を省略しても良い。
【０１１１】
金属膜３０２は、タングステン膜、モリブデン膜、チタン膜、タンタル膜等を用いることができる。金属膜３０２は、ＣＶＤ法、スパッタ法等で形成することができる。金属膜３０２の膜厚は、１００ｎｍ〜１０００ｎｍが好ましい。
【０１１２】
絶縁膜３０３は、酸化珪素膜、窒化珪素膜等を用いることができる。絶縁膜３０３は、ＣＶＤ法、スパッタ法等で形成することができる。絶縁膜３０３の膜厚は１０ｎｍ〜１００ｎｍが好ましい。
【０１１３】
第１の導電膜５０１は、静電気破壊対策用の導電膜である。第１の導電膜５０１としては、チタン、モリブデン、タングステン、アルミニウム、窒化チタン、窒化タンタル、窒化タングステン、インジウム酸化物、酸化珪素を含有したインジウム錫酸化物等を用いることができる。なお、導電性を有していれば静電耐圧向上効果を有することができるので、列挙した材料に限定されることはない。第１の導電膜５０１は、ＣＶＤ法、蒸着法、スパッタ法等で形成することができる。第１の導電膜５０１の膜厚は、５ｎｍ〜２００ｎｍ（若しくは、１０ｎｍ〜１００ｎｍ）が好ましい。なお、複数の島状導電膜、網目状の導電膜等のように隙間を有する導電膜を形成すると、隙間から電磁波が透過しやすくなるので好ましい。
【０１１４】
なお、静電気による半導体装置の破壊を効果的に防止するためには、第１の導電膜５０１のシート抵抗が１．０×１０７Ω／□以下、好ましくは１．０×１０４Ω／□以下、より好ましくは１．０×１０２Ω／□以下となるように膜厚とすることが好ましい。
【０１１５】
ここで、シリコンターゲットを酸素を含むアルゴンガスでスパッタリングすることによって、酸化珪素からなる絶縁膜３０３を形成することができる。
【０１１６】
このとき、金属膜３０２の表面は酸素によって酸化されて剥離層が形成されるので、後の剥離工程において力学的な力による剥離が可能になる。
【０１１７】
なお、シリコンターゲットを窒素を含むアルゴンガスでスパッタリングすることによって、金属膜３０２の表面を窒化させて剥離層を形成するとともに、窒化珪素膜からなる絶縁膜３０３を形成しても良い。
【０１１８】
また、絶縁膜３０３形成前に、金属膜３０２表面に酸素プラズマ処理又は窒素プラズマ処理を行うことにより、剥離層を形成しても良い。
【０１１９】
金属膜３０２表面に酸素プラズマ処理又は窒素プラズマ処理を行う場合は、絶縁膜３０３を形成せず金属膜３０２上に第１の導電膜５０１が形成された構造としても良い。
【０１２０】
また、金属膜３０２を形成するかわりに、シリコンからなる剥離層を絶縁膜３０１と絶縁膜３０３の間に形成しても良い。
【０１２１】
シリコンからなる剥離層を用いる場合は、後の剥離工程において、フッ化ハロゲン（例えば、一フッ化塩素（ＣｌＦ）、三フッ化塩素（ＣｌＦ３）、一フッ化臭素（ＢｒＦ）、三フッ化臭素（ＢｒＦ３）、一フッ化沃素（ＩＦ）、三フッ化沃素（ＩＦ３））を用いることによって、シリコンがエッチングされて剥離を行うことができる。
【０１２２】
なお、フッ化ハロゲンはシリコン、金属（例えば、アルミニウム等）等をエッチングする作用を有するので、シリコンを剥離層として用いる際、絶縁膜３０３が第１の導電膜５０１を保護する効果を奏することになる。
【０１２３】
よって、シリコンのかわりに金属（例えば、アルミニウム等）を剥離層として用い、剥離層のエッチング材料としてフッ化ハロゲンを用いる構成としても良い。
【０１２４】
なお、第１の導電膜がフッ化ハロゲンによってエッチングされない材料（例えば、酸化物導電体（インジウム錫酸化物、酸化珪素を含むインジウム酸化物、酸化亜鉛等））の場合は、絶縁膜３０３を設けなくても良い。
【０１２５】
以上のように、少なくとも基板３００と第１の導電膜５０１との間に剥離層が設けられる構造を形成することによって、後の剥離工程において、基板３００と、第１の導電膜５０１及び第１の導電膜上に設けられる回路等と、を分離することができる。
【０１２６】
次に、第１の絶縁膜３０４（下地絶縁膜）を形成し、第１の絶縁膜３０４上に薄膜トランジスタ３０５及び薄膜トランジスタ３０６を形成する。（図４（Ｂ）参照）
【０１２７】
薄膜トランジスタ３０５は、半導体層３０５ａと、半導体層３０５ａ上に形成されたゲート絶縁膜３０５ｂと、ゲート絶縁膜３０５ｂ上に形成されたゲート電極３０５ｃと、ゲート絶縁膜３０５ｂ上に形成され、ゲート電極３０５ｃの側壁と接するサイドウォール３０５ｄ及びサイドウォール３０５ｅと、を有する。（図４（Ｂ）参照）
【０１２８】
薄膜トランジスタ３０６は、半導体層３０６ａと、半導体層３０６ａ上に形成されたゲート絶縁膜３０６ｂと、ゲート絶縁膜３０６ｂ上に形成されたゲート電極３０６ｃと、ゲート絶縁膜３０６ｂ上に形成され、ゲート電極３０６ｃの側壁と接するサイドウォール３０６ｄ及びサイドウォール３０６ｅと、を有する。（図４（Ｂ）参照）
【０１２９】
なお、薄膜トランジスタは回路に必要な数だけ複数形成される。
【０１３０】
また、本実施の形態においては、トップゲート型薄膜トランジスタを例示したが、ボトムゲート型薄膜トランジスタも適用可能である。
【０１３１】
また、ＬＤＤ構造を有する薄膜トランジスタを例示したが、ＬＤＤ構造を有さなくても良い。
【０１３２】
さらに、スイッチング素子として機能すれば良いので、薄膜トランジスタに替えて、ＭＩＭ素子等を形成しても良い。
【０１３３】
なお、薄膜トランジスタに用いる半導体層は、シリコン、シリコンゲルマニウム、酸化物半導体、有機物半導体等を用いることができる。
【０１３４】
また、薄膜トランジスタに用いるゲート絶縁膜及びサイドウォールは、酸化珪素、窒化珪素等を用いることができる。
【０１３５】
また、薄膜トランジスタに用いるゲート電極は、タングステン、モリブデン、アルミニウム、チタン、シリコン等を用いることができる。
【０１３６】
次に、薄膜トランジスタ３０５及び薄膜トランジスタ３０６を覆う第１の層間絶縁膜３０７を形成し、第１の層間絶縁膜３０７上に第２の層間絶縁膜３０８を形成し、第１の層間絶縁膜３０７及び第２の層間絶縁膜３０８に薄膜トランジスタ３０５及び薄膜トランジスタ３０６に達するコンタクトホールを形成し、第２の層間絶縁膜３０８上に薄膜トランジスタ３０５及び薄膜トランジスタ３０６と電気的に接続される配線３０９ａ〜３０９ｄを形成する。（図５（Ａ）参照）
【０１３７】
そして、薄膜トランジスタを配線で電気的に接続することによって回路が形成される。
【０１３８】
第１の層間絶縁膜３０７は、酸化珪素膜、窒化珪素膜、有機樹脂膜等を用いることができる。第１の層間絶縁膜３０７の膜厚は５０ｎｍ〜２００ｎｍが好ましい。
【０１３９】
第２の層間絶縁膜３０８は、酸化珪素膜、窒化珪素膜、有機樹脂膜等を用いることができる。第２の層間絶縁膜３０８の膜厚は３００ｎｍ〜５０００ｎｍが好ましい。
【０１４０】
なお、本実施の形態では２層の層間絶縁膜を層間絶縁膜として用いたが、１層の層間絶縁膜を用いても良いし、３層以上の層間絶縁膜を用いても良い。
【０１４１】
配線３０９ａ〜３０９ｄは、アルミ、チタン、モリブデン、タングステン、金、銀、銅等を用いることができる。配線３０９ａ〜３０９ｄの膜厚は、１０００ｎｍ〜５０００ｎｍが好ましい。なお、配線３０９ａ〜３０９ｄは、単層構造でも積層構造でも良い。
【０１４２】
次に、配線３０９ａ〜３０９ｄを覆う第３の層間絶縁膜３１０を形成し、第３の層間絶縁膜３１０に配線３０９ａに達するコンタクトホールを形成し、第３の層間絶縁膜３１０上にアンテナを有する層３１１を形成し、アンテナを有する層３１１上に第２の絶縁膜３１２（保護膜）を形成し、第２の絶縁膜３１２（保護膜）上に第２の導電膜５０２を形成する。（図５（Ｂ）参照）
【０１４３】
第３の層間絶縁膜３１０は、酸化珪素膜、窒化珪素膜、有機樹脂膜等を用いることができる。第３の層間絶縁膜３１０の膜厚は３００ｎｍ〜５０００ｎｍが好ましい。
【０１４４】
アンテナを有する層３１１は、アルミ、チタン、モリブデン、タングステン、金、銀、銅等を用いることができる。アンテナを有する層３１１の膜厚は、１０００ｎｍ〜５０００ｎｍが好ましい。なお、アンテナを有する層３１１は、単層構造でも積層構造でも良い。
【０１４５】
なお、アンテナを有する層３１１は、アンテナ３１１ａと配線部３１１ｂを有する。
【０１４６】
第２の絶縁膜３１２（保護膜）は、酸化珪素膜、窒化珪素膜等を用いることができる。第２の絶縁膜３１２（保護膜）の膜厚は、１００ｎｍ〜１０００ｎｍが好ましい。
【０１４７】
第２の絶縁膜３１２（保護膜）は、プリプレグ等の熱圧着時にアンテナを保護する。また、第２の導電膜５０２とアンテナを有する層３１１とがショートすることを防止することができる。
【０１４８】
なお、第２の導電膜５０２とアンテナを有する層３１１とは電気的に接続されていない。
【０１４９】
第２の導電膜５０２は、静電気破壊対策用の導電膜である。第２の導電膜５０２としては、チタン、モリブデン、タングステン、アルミニウム、窒化チタン、窒化タンタル、窒化タングステン、インジウム酸化物、酸化珪素を含有したインジウム錫酸化物等を用いることができる。なお、導電性を有していれば静電耐圧向上効果を有することができるので、列挙した材料に限定されることはない。第２の導電膜５０２は、ＣＶＤ法、蒸着法、スパッタ法等で形成することができる。第２の導電膜５０２の膜厚は、５ｎｍ〜２００ｎｍ（若しくは、１０ｎｍ〜１００ｎｍ）が好ましい。なお、複数の島状導電膜、網目状の導電膜等のように隙間を有する導電膜を形成すると、隙間から電磁波が透過しやすくなるので好ましい。
【０１５０】
なお、静電気による半導体装置の破壊を効果的に防止するためには、第２の導電膜５０２のシート抵抗が１．０×１０７Ω／□以下、好ましくは１．０×１０４Ω／□以下、より好ましくは１．０×１０２Ω／□以下となるように膜厚とすることが好ましい。
【０１５１】
次に、第２の導電膜５０２上に繊維体３１３に有機樹脂３１４を含浸させた第１の絶縁体を熱圧着する。そして、熱圧着後、力学的な力を加える（引っ張る、押す等）ことにより基板３００、絶縁膜３０１、金属膜３０２を分離する剥離工程を行う。（図６参照）
【０１５２】
金属膜３０２表面は酸化又は窒化されているので、金属膜３０２と絶縁膜３０３との密着性が弱くなっている。
【０１５３】
よって、力学的な力を加えることによって、基板３００、絶縁膜３０１、金属膜３０２が選択的に分離されることになる。
【０１５４】
側面から水を注入して基板３００、絶縁膜３０１、金属膜３０２を選択的に分離しても良い。
【０１５５】
水を注入すると剥離界面に水が侵入するので、回路側と基板側が水によって電気的に接続された状態となる。
【０１５６】
剥離時には静電気が生ずるが、水で電気的な接続をとることによって、剥離時の静電気破壊の問題を防止しやすくなる。
【０１５７】
なお、水の導電性を向上させるために、食塩水、炭酸水等の水溶液を用いても良い。ただし、食塩は回路に悪影響を与えるので、炭酸水が好適であると言える。
【０１５８】
なお、金属膜３０２の代わりにシリコンからなる剥離層を形成した場合は、フッ化ハロゲンでシリコンからなる剥離層が選択的にエッチングされ、基板３００、絶縁膜３０１が選択的に分離されることになる。
【０１５９】
このように、剥離層を用いて少なくとも基板３００を選択的に分離する工程を剥離工程という。また、剥離工程により基板が選択的に分離された回路を剥離回路と呼ぶことにする。また、基板が分離されて皮のように薄い回路だけが残ることからピール回路と呼んでも良い。なお、基板をエッチング液によって除去してピール回路を作製する方法、可撓性基板に回路を形成してピール回路を作製する方法等の他の方法を用いてピール回路を形成しても良い。
【０１６０】
薄膜トランジスタを有する剥離回路（ピール回路）は非常に薄い。よって、引っ張り、外部からの圧力等に対して非常に脆い。
【０１６１】
一方、繊維体に有機樹脂を含浸させた絶縁体は、繊維体を有するため、引っ張り耐性が強く、外部からの圧力を拡散することができる。
【０１６２】
したがって、薄膜トランジスタを有する剥離回路（ピール回路）を、繊維体に有機樹脂を含浸させた絶縁体で挟み込むことによって、引っ張り及び外部からの圧力から保護することができるようになる。
【０１６３】
そこで、剥離工程の後、絶縁膜３０３の下に繊維体３１５に有機樹脂３１６を含浸させた第２の絶縁体を熱圧着する。（図７参照）
【０１６４】
なお、第１の絶縁体及び第２の絶縁体は、実施の形態１で説明したプリプレグを用いたが、剥離回路（ピール回路）を用いない場合、引っ張り及び外部からの圧力等の耐性を考慮しない場合は、繊維体を有しない絶縁体を用いても良い。
【０１６５】
ただし、剥離回路（ピール回路）を用いる際にプリプレグを適用することによって、引っ張り及び外部からの圧力等に対して耐性を有するフレキシブルな半導体装置を適用することができるので好ましい。
【０１６６】
また、第１の導電膜５０１及び第２の導電膜５０２を有することによって、静電耐圧の高い半導体装置を提供することができる。
【０１６７】
特に、繊維体という複雑な形状を有するプリプレグを適用した場合、プリプレグ内部に導電性の粒子を用いるよりも、本実施形態のように膜状の導電物を設けた方が静電耐圧が上昇する。
【０１６８】
また、製造工程において膜を形成するだけで済むので、簡便な製造工程とすることができるので好ましい。
【０１６９】
本実施の形態は、他の全ての実施の形態と組み合わせて実施することが可能である。
【０１７０】
（実施の形態５）
本実施の形態では、実施の形態４の変形例について説明する。
【０１７１】
図５（Ａ）の工程の後、配線３０９ａ〜３０９ｄを覆う第３の層間絶縁膜３１０を形成し、第３の層間絶縁膜３１０に配線３０９ａに達するコンタクトホールを形成し、第３の層間絶縁膜３１０上にアンテナを有する層３１１を形成し、アンテナを有する層３１１上に第２の絶縁膜３１２（保護膜）を形成し、アンテナを有する層３１１及び薄膜トランジスタの形成されていない位置に第１の導電膜５０１まで達するコンタクトホールを形成し、前記コンタクトホールに導電物３１７を埋め込む。（図８（Ａ）参照）
【０１７２】
導電物３１７は、アルミ、チタン、モリブデン、タングステン、金、銀、銅等を用いることができる。埋め込む方法は、導電膜をコンタクトホールの深さよりも厚い膜厚で形成した後、エッチバック又はＣＭＰ（ケミカルメカニカルポリッシング）等で保護膜表面が露出するまでエッチングを行う方法を採用できる。
【０１７３】
なお、図８では第１の導電膜５０１と第２の導電膜５０２とのコンタクト箇所を一箇所だけとしたが、複数箇所としても良い。
【０１７４】
ただし、コンタクト箇所はアンテナを有する層３１１及び薄膜トランジスタの形成されていない位置に形成する。
【０１７５】
次に、第２の絶縁膜３１２上に導電物３１７と電気的に接続する第２の導電膜５０２を形成する。（図８（Ｂ）参照）
【０１７６】
次に、第２の導電膜５０２上に繊維体３１３に有機樹脂３１４を含浸させた第１の絶縁体を熱圧着する。そして、熱圧着後、力学的な力を加える（引っ張る、押す等）ことにより基板３００、絶縁膜３０１、金属膜３０２を分離する剥離工程を行う。（図９参照）
【０１７７】
次に、剥離工程の後、絶縁膜３０３の下に繊維体３１５に有機樹脂３１６を含浸させた第２の絶縁体を熱圧着する。（図１０参照）
【０１７８】
以上のように、第１の導電膜５０１と第２の導電膜５０２とが電気的に接続された構造を有することによって、第１の導電膜５０１と第２の導電膜５０２とが同電位に保たれるので、静電耐圧を上昇させることができる。
【０１７９】
なお、導電物３１７を形成せずに第２の導電膜５０２を用いて第１の導電膜５０１と第２の導電膜５０２とのコンタクトをとっても良い。また、第２の導電膜５０２を形成した後、レーザー光を照射して第１の導電膜５０１と第２の導電膜５０２とを溶融させて接触させても良い。
【０１８０】
本実施の形態は、他の全ての実施の形態と組み合わせて実施することが可能である。
【０１８１】
（実施の形態６）
実施の形態４、５では、第２の導電膜をアンテナの上側に設ける構成としたが、第２の導電膜をアンテナと薄膜トランジスタを有する回路との間に配置しても良い。
【０１８２】
具体的には、第３の層間絶縁膜３１０上に開口部を有する第３の導電膜５０３を配置する。第３の導電膜５０３の上にはアンテナとショートがおきないように第４の層間絶縁膜３１８が形成されている。（図１１参照）
【０１８３】
なお、第３の導電膜５０３の開口部は、アンテナとショートがおこらないように第４の層間絶縁膜３１８に設けられるコンタクトホールよりも大きく形成されている。
【０１８４】
第４の層間絶縁膜３１８の材料は、酸化珪素膜、窒化珪素膜、有機樹脂膜等が適用できる。
【０１８５】
以上のような構成とすることによって、アンテナを遮る導電膜が無くなるので、導電膜による共振周波数のずれの問題を防止することができる。
【０１８６】
なお、実施の形態５と同様、第１の導電膜５０１と第３の導電膜５０３とをコンタクトホールを介して電気的に接続しても良い。
【０１８７】
また、第３の導電膜５０３の材料は、第１の導電膜５０１及び第２の導電膜５０２と同様である。
【０１８８】
本実施の形態は、他の全ての実施の形態と組み合わせて実施することが可能である。
【０１８９】
（実施の形態７）
実施の形態４乃至６では、第１の絶縁体及び第２の絶縁体の内側に静電気破壊対策用の導電膜を設ける構成としたが、第１の絶縁体及び第２の絶縁体の外側に静電気破壊対策用の導電膜を設ける構成としても良い。
【０１９０】
具体的には、繊維体３１５に有機樹脂３１６を含浸させた第２の絶縁体の下側表面に第４の導電膜５０４を形成し、繊維体３１３に有機樹脂３１４を含浸させた第１の絶縁体の上側表面に第５の導電膜５０５を形成する。（図１２参照）
【０１９１】
作製方法としては、第１の絶縁体及び第２の絶縁体の表面に導電膜を形成した後、熱圧着を行っても良いし、熱圧着を行った後に導電膜を形成しても良い。
【０１９２】
また、第４の導電膜５０４と第５の導電膜５０５と電気的に接続して第６の導電膜５０６とする構成としても良い。（図１３参照）
【０１９３】
第４の導電膜５０４と第５の導電膜５０５と電気的に接続させる方法としては、側面に導電膜を形成しても良いし、レーザー光を照射して第４の導電膜５０４と第５の導電膜５０５を溶融させて接触させても良い。
【０１９４】
また、第４乃至６の導電膜の材料は、第１の導電膜５０１及び第２の導電膜５０２と同様である。
【０１９５】
本実施の形態は、他の全ての実施の形態と組み合わせて実施することが可能である。
【０１９６】
（実施の形態８）
静電耐圧上昇効果を上昇させるためには導電膜の抵抗値を下げることが効果的である。
【０１９７】
導電膜の抵抗値を下げるためには、単純には導電膜の膜厚を厚くすれば良い。
【０１９８】
しかし、アンテナ導電膜の膜厚を厚くすると、共振周波数がずれてしまい通信距離が減少してしまう。
【０１９９】
そこで、図１３の変形例として、アンテナ３１１ａと重ならない位置に第７の導電膜５０７を形成する。なお、第７の導電膜５０７と配線部３１１ｂとは重なる位置に配置されていても良いし、重ならない位置に配置されていても良い。（図１４参照）
【０２００】
図１４の構成によって、アンテナ領域の共振周波数のずれを最小限にとどめつつ、静電耐圧上昇効果を上昇させることが可能となる。
【０２０１】
なお、第７の導電膜５０７は、第６の導電膜５０６よりも厚い方が好ましい。
【０２０２】
また、アンテナ３１１ａと重なる位置の導電膜を除去した形状を有する第８の導電膜５０８を設ける構成としても良い。（図１５参照）
【０２０３】
第７及び８の導電膜の形成方法は、成膜時にメタルマスクを用いてパターンを形成する方法、全面に導電膜を成膜したあとフォトリソグラフィ法等を用いてマスクを形成した後、選択的に導電膜の一部を除去する方法等を用いることができる。
【０２０４】
また、第７及び８の導電膜の材料は、第１の導電膜５０１及び第２の導電膜５０２と同様である。なお、本実施の形態では導電膜を絶縁体の外側に設けた例を示したが、導電膜を絶縁体の内側に設けた上で本実施の形態の構造を採用しても良い。また、アンテナと重なる領域に配置された導電膜の形状を、複数の島状導電膜、網目状の導電膜等のように隙間から電磁波が透過しやすい形状にするとともに、他の領域は全面に導電膜を設けた構成としても良い。
【０２０５】
本実施の形態は、他の全ての実施の形態と組み合わせて実施することが可能である。
【０２０６】
（実施の形態９）
実施の形態１乃至８において、衝撃拡散層を設ける例を示す。
【０２０７】
衝撃拡散層としては、アラミド樹脂、ポリエチレンナフタレート（ＰＥＮ）樹脂、ポリエーテルサルフォン（ＰＥＳ）樹脂、ポリフェニレンサルファイド（ＰＰＳ）樹脂、ポリイミド（ＰＩ）樹脂などを用いることができる。
【０２０８】
衝撃拡散層は、第１の絶縁体及び第２の絶縁体の外側表面に接して設けると良い。
【０２０９】
即ち、当該構成によって、衝撃拡散層が露出するので、外部からの押圧に対しての耐久性が向上することになる。
【０２１０】
なお、図１２又は図１３のような構造の場合、衝撃拡散層は導電膜と絶縁体の間に設けても良いし、導電膜の外側表面に設けても良い。
【０２１１】
特に、導電膜の外側表面に設けると衝撃拡散層が露出し且つ導電膜が露出しない構造となる。
【０２１２】
すると、導電膜が衝撃拡散層によって摩擦等から保護されるので、摩擦により導電膜が剥がれてしまうことを防止できるので好ましい。
【０２１３】
なお、作製方法としては、第１の絶縁体及び第２の絶縁体の表面に衝撃拡散層を形成した後、熱圧着を行っても良いし、熱圧着を行った後に衝撃拡散層を形成しても良い。
【０２１４】
なお、導電膜表面に設ける場合は、導電膜形成後に衝撃拡散層を形成すれば良い。
【０２１５】
衝撃拡散層は熱圧着等により設けることができる。接着剤を用いてフィルム状の衝撃拡散層を貼り付けても良い。
【０２１６】
本実施の形態は、他の全ての実施の形態と組み合わせて実施することが可能である。
【０２１７】
（実施の形態１０）
本実施の形態では、半導体装置の回路の一例及び動作の一例について説明する。
【０２１８】
非接触でデータを交信する機能を有する半導体装置８００は、高周波回路８１０、電源回路８２０、リセット回路８３０、クロック発生回路８４０、データ復調回路８５０、データ変調回路８６０、他の回路の制御を行う制御回路８７０、記憶回路８８０およびアンテナ８９０を有している。（図１８参照）
【０２１９】
高周波回路８１０はアンテナ８９０より信号を受信して、データ変調回路８６０より受信した信号をアンテナ８９０から出力する回路である。
【０２２０】
電源回路８２０は受信信号から電源電位を生成する回路である。
【０２２１】
リセット回路８３０はリセット信号を生成する回路である。
【０２２２】
クロック発生回路８４０はアンテナ８９０から入力された受信信号を基に各種クロック信号を生成する回路である。
【０２２３】
データ復調回路８５０は受信信号を復調して制御回路８７０に出力する回路である。
【０２２４】
データ変調回路８６０は制御回路８７０から受信した信号を変調する回路である。
【０２２５】
また、制御回路８７０としては、例えばコード抽出回路９１０、コード判定回路９２０、ＣＲＣ判定回路９３０および出力ユニット回路９４０が設けられている。
【０２２６】
なお、コード抽出回路９１０は制御回路８７０に送られてきた命令に含まれる複数のコードをそれぞれ抽出する回路である。
【０２２７】
コード判定回路９２０は抽出されたコードとリファレンスに相当するコードとを比較して命令の内容を判定する回路である。
【０２２８】
ＣＲＣ判定回路９３０は判定されたコードに基づいて送信エラー等の有無を検出する回路である。
【０２２９】
次に、上述した半導体装置の動作の一例について説明する。
【０２３０】
まず、アンテナ８９０により無線信号が受信される。
【０２３１】
無線信号は高周波回路８１０を介して電源回路８２０に送られ、高電源電位（以下、ＶＤＤと記す）が生成される。
【０２３２】
ＶＤＤは半導体装置８００が有する各回路に供給される。
【０２３３】
また、高周波回路８１０を介してデータ復調回路８５０に送られた信号は復調されて復調信号となる。
【０２３４】
さらに、高周波回路８１０を介してリセット回路８３０およびクロック発生回路８４０を通った信号及び復調信号は制御回路８７０に送られる。
【０２３５】
制御回路８７０に送られた信号は、コード抽出回路９１０、コード判定回路９２０およびＣＲＣ判定回路９３０等によって解析される。
【０２３６】
そして、解析された信号にしたがって、記憶回路８８０内に記憶されている半導体装置の情報が出力される。
【０２３７】
出力された半導体装置の情報は出力ユニット回路９４０を通って符号化される。
【０２３８】
さらに、符号化された半導体装置８００の情報はデータ変調回路８６０を通って、アンテナ８９０により無線信号に載せて送信される。
【０２３９】
なお、半導体装置８００を構成する複数の回路においては、低電源電位（以下、ＶＳＳ）は共通であり、ＶＳＳはＧＮＤとすることができる。
【０２４０】
本実施の形態は、他の全ての実施の形態と組み合わせて実施することが可能である。
【０２４１】
（実施の形態１１）
実施の形態１乃至１０のアンテナを介して無線通信を行う半導体装置（ＲＦＩＤタグ、無線タグ、ＩＣチップ、無線チップ、非接触信号処理装置、半導体集積回路チップ）は、物品又は生物（ヒト、動物、植物等）の表面に貼る、又は物品又は生物（ヒト、動物、植物等）の内部に埋め込む等の利用形態を取ることができる。
【０２４２】
アンテナを介して無線通信を行う半導体装置を用いることによって、非接触での情報管理が可能になる。
【０２４３】
非接触であるため、いつでもどこでも利用者が意識せずに情報通信技術を活用できる環境（ユビキタスコンピューティング）につながっていく。
【０２４４】
本実施の形態は、他の全ての実施の形態と組み合わせて実施することが可能である。
【実施例１】
【０２４５】
静電気破壊対策の効果を実証するため、ＥＳＤ（Ｅｌｅｃｔｒｏ  Ｓｔａｔｉｃ  Ｄｉｓｃｈａｒｇｅ：静電気放電）測定を行った。
【０２４６】
ＥＳＤ測定は以下のように行う。
【０２４７】
まず、ガラス基板（厚さ０．５ｎｍ）の上にアルミ板を載せ、前記アルミ板の上に導電性シートを載せ、前記導電シートの上に試料を載せる。
【０２４８】
そして、試料（チップ）の上方からＥＳＤ試験機（簡易応答評価  Ｔａｋａｙａ株式会社製））を用いて所定の電圧を印加する。
【０２４９】
次に、所定の電圧を印加した試料（チップ）の除電を一分間行う。
【０２５０】
その後、除電を行った試料（チップ）が動作するか否かの判定を行う。
【０２５１】
そして、所定の電圧を１ｋＶから１５ｋＶまで増加させていって試料（チップ）が動作不能になる電圧を測定した。
【０２５２】
また、試料（チップ）の表面（アンテナ側）から電圧を印加する場合と、試料（チップ）の裏面（薄膜トランジスタ側）から電圧を印加する場合と、の２パターンの測定を行った。
【０２５３】
なお、１５ｋＶの電圧を印加した後に動作した試料（チップ）は、少なくとも１５ｋＶ以上の静電耐圧を有すると判断した。
【０２５４】
ここで、測定を行った試料の説明を行う。
【０２５５】
（比較構造：静電気破壊対策用の導電膜を有さない構造）
比較構造として、第１の絶縁体１１と、第１の絶縁体１１上に設けられた薄膜トランジスタを有する回路１２と、薄膜トランジスタを有する回路１２の上に設けられ且つ薄膜トランジスタを有する回路１２と電気的に接続されたアンテナ１３と、アンテナ１３上に設けられた保護膜１４（窒化珪素膜）と、保護膜１４上に設けられた第２の絶縁体１５とを有する構造を作製した。（図１７（Ａ）参照）
【０２５６】
比較構造には、静電気破壊対策用の導電膜は設けていない。
【０２５７】
なお、前記第１の絶縁体及び第２の絶縁体は、繊維体（ガラス繊維）に有機樹脂（臭素化エポキシ樹脂）が含浸された構造体であるプリプレグ（膜厚２０μｍ）を用いた。
【０２５８】
以下作製した試料について説明する。
【０２５９】
（構造１：表側（アンテナ側）のみに静電気破壊対策用の導電膜を設けた構造）
構造１として、比較構造の表側（アンテナ側）のみに静電気破壊対策用の導電膜１６を設けた構造を作製した。（図１７（Ｂ）参照）
【０２６０】
構造１の薄膜トランジスタの構造、回路の構成、アンテナの形状、作製材料等は、比較構造と同じである。
【０２６１】
導電膜としては、１０ｎｍの膜厚のチタン（Ｔｉ）膜を形成した試料を作製した。
【０２６２】
（構造２：裏側（薄膜トランジスタ側）のみに静電気破壊対策用の導電膜を設けた構造）
構造２として、比較構造の裏側（薄膜トランジスタ側）のみに静電気破壊対策用の導電膜１７を設けた構造を作製した。（図１７（Ｃ）参照）
【０２６３】
構造２の薄膜トランジスタの構造、回路の構成、アンテナの形状、作製材料等は、比較構造と同じである。
【０２６４】
導電膜としては、１０ｎｍの膜厚のチタン（Ｔｉ）膜を形成した試料を作製した。
【０２６５】
（構造３：表側（アンテナ側）及び裏側（薄膜トランジスタ側）に静電気破壊対策用の導電膜を設けた構造（上下導通無し））
構造３として、比較構造の表側（アンテナ側）及び裏側（薄膜トランジスタ側）に静電気破壊対策用の導電膜１８、導電膜１９を設けた構造を作製した。（図１７（Ｄ）参照）
【０２６６】
構造３の薄膜トランジスタの構造、回路の構成、アンテナの形状、作製材料等は、比較構造と同じである。
【０２６７】
なお、表側（アンテナ側）の導電膜と、裏側（薄膜トランジスタ側）の導電膜と、は電気的に分離されている。
【０２６８】
導電膜としては、１０ｎｍの膜厚のチタン（Ｔｉ）膜を形成した試料と、１０ｎｍの膜厚の酸化珪素を含有したインジウム錫酸化物（ＩＴＯ（ＳｉＯ２含有））膜を形成した試料と、を作製した。
【０２６９】
（構造４：表側（アンテナ側）及び裏側（薄膜トランジスタ側）に静電気破壊対策用の導電膜を設けた構造（上下導通あり））
構造４として、比較構造の表側（アンテナ側）及び裏側（薄膜トランジスタ側）に静電気破壊対策用の導電膜を設け且つ双方の導電膜を電気的に接続させることにより、第１の絶縁体１１、薄膜トランジスタを有する回路１２、アンテナ１３、保護膜１４、及び第２の絶縁体１５を導電膜２０で囲んだ構造を作製した。（図１７（Ｅ）参照）
【０２７０】
構造４の薄膜トランジスタの構造、回路の構成、アンテナの形状、作製材料等は、比較構造と同じである。
【０２７１】
なお、表側（アンテナ側）の導電膜と、裏側（薄膜トランジスタ側）の導電膜と、は電気的に接続されている。
【０２７２】
導電膜としては、１０ｎｍの膜厚のチタン（Ｔｉ）膜を形成した試料と、１０ｎｍの膜厚の酸化珪素を含有したインジウム錫酸化物（ＩＴＯ（ＳｉＯ２含有））膜を形成した試料と、１００ｎｍの膜厚の酸化珪素を含有したインジウム錫酸化物（ＩＴＯ（ＳｉＯ２含有））膜を形成した試料と、を作製した。
【０２７３】
（構造５：絶縁体の内側の表側（アンテナ側）及び裏側（薄膜トランジスタ側）に静電気破壊対策用の導電膜を設けた構造）
構造５として、比較構造の絶縁体の内側に静電気破壊対策用の導電膜２１、２２を設けた構造を作製した。具体的には、第１の絶縁体と薄膜トランジスタを有する回路の間に導電膜２１を設け、第２の絶縁体と保護膜の間に導電膜２２を設けた構造とした。（図１７（Ｆ）参照）
【０２７４】
構造５の薄膜トランジスタの構造、回路の構成、アンテナの形状、作製材料等は、比較構造と同じである。
【０２７５】
なお、表側（アンテナ側）の導電膜と、裏側（薄膜トランジスタ側）の導電膜と、は電気的に接続されている。
【０２７６】
導電膜としては、１０ｎｍの膜厚の酸化珪素を含有したインジウム錫酸化物（ＩＴＯ（ＳｉＯ２含有））膜を形成した試料を作製した。
【０２７７】
（構造６：絶縁体の内側の表側（アンテナ側）のみに静電気破壊対策用の導電膜を設けた構造）
構造６として、比較構造の絶縁体の内側に静電気破壊対策用の導電膜２３を設けた構造を作製した。具体的には、第２の絶縁体と保護膜の間に導電膜２３を設けた構造とした。（図１７（Ｇ）参照）
【０２７８】
構造６の薄膜トランジスタの構造、回路の構成、アンテナの形状、作製材料等は、比較構造と同じである。
【０２７９】
導電膜としては、１０ｎｍの膜厚の酸化珪素を含有したインジウム錫酸化物（ＩＴＯ（ＳｉＯ２含有））膜を形成した試料を作製した。
【０２８０】
（測定結果と考察）
比較構造、並びに構造１〜６の測定結果を図１９に示す。
【０２８１】
なお、比較構造は４個の試料の平均値であり、構造１〜６は５個の試料の平均値である。
【０２８２】
比較構造の結果と構造１〜６の結果とを比較すると、静電気破壊対策のための導電膜を設けた面からの電圧印加に対して、静電耐圧が上昇していることがわかる。
【０２８３】
したがって、導電膜を設けることによって静電耐圧が向上することは明らかである。
【０２８４】
よって、ＩＣカードのように両面から電波を送受信し得る半導体装置の場合は、表面と裏面の両方に導電膜を設けると好ましい。
【０２８５】
もちろん、片面だけに導電膜を設けても静電耐圧向上効果があるので、本願発明は表面と裏面の両方に導電膜を設けることに限定されるものではない。
【０２８６】
また、比較構造（図１７（Ａ））、構造１（図１７（Ｂ））、構造６（図１７（Ｇ））の測定結果から、チップは裏面側（薄膜トランジスタ側）の方が静電耐圧が弱いことが理解できる。
【０２８７】
裏面側（薄膜トランジスタ側）の方が静電耐圧が弱い理由は、薄膜トランジスタ又は回路を構成する配線が静電気破壊されることによってチップが動作不能になるからである。
【０２８８】
したがって、片面だけ導電膜を設ける場合は、裏面側（薄膜トランジスタ側）に導電膜を設けることが好ましい。
【０２８９】
また、比較構造（図１７（Ａ））、構造５（図１７（Ｆ））、構造６（図１７（Ｇ））の測定結果から、導電膜は絶縁体の内部に配置されていても静電耐圧向上効果があることが理解できる。
【０２９０】
また、酸化珪素を含有したインジウム錫酸化物膜及びチタン膜のいずれも静電耐圧向上効果があったため、導電膜であれば材料を問わずに静電耐圧向上効果があることが理解できる。
【０２９１】
また、構造４（図１７（Ｅ））において、膜厚を厚くした方（導電膜の抵抗値を下げた方）が静電耐圧向上効果が上昇した。
【０２９２】
したがって、導電膜の抵抗値が低い方が静電耐圧向上効果があることが理解できる。
【０２９３】
さらに、構造４（図１７（Ｅ））、構造５（図１７（Ｆ））の静電耐圧は、他の構造と比較すると非常に高かった。他の構造の平均が一桁（１０ｋＶ未満）なのに対して、構造４、５はいずれも平均が二桁（１０ｋＶ以上）であった。
【０２９４】
この点は、誘電分極を考慮すると説明がつく。
【０２９５】
即ち、本実施例の試料は第１の絶縁体と第２の絶縁体を有している。
【０２９６】
すると、第１の絶縁体又は第２の絶縁体のいずれか一方の面が帯電すると、誘電分極が生ずることになるので、他方の面は一方の面と逆極性の電荷が帯電することになる。
【０２９７】
そして、誘電分極が生ずると、第１の絶縁体と第２の絶縁体の間に挟まれた回路に電流が流れてしまうことになるので、回路が静電気破壊されてしまうことがある。
【０２９８】
一方、構造４（図１７（Ｅ））、構造５（図１７（Ｆ））のように表面の導電膜と裏面の導電膜とが電気的に接続された構造とすることによって、表面の導電膜と裏面の導電膜が同電位に保たれることになる。
【０２９９】
よって、表面の導電膜と裏面の導電膜とが電気的に接続された構造においては、第１の絶縁体又は第２の絶縁体のいずれか一方の面が帯電しても、他方の面も同電位に帯電することになる。
【０３００】
したがって、構造４（図１７（Ｅ））、構造５（図１７（Ｆ））では誘電分極による静電気破壊の影響を低減できるので、静電耐圧が他の構造と比較して向上したのである。
【０３０１】
なお、本発明が本実施例の形状に限定されることはないことはいうまでもない。
【０３０２】
なお、構造４では図１７（Ｅ）のように導電膜で周囲全面を囲う構造としたが、表面の導電膜と裏面の導電膜とを電気的に接続された構造とすればどのような構造であっても誘電分極の影響を低減できることは本実施例の結果から明らかである。
【０３０３】
以上のように、本発明者らは本実施例における実験結果から多くの新規な知見を得ることができた。
【実施例２】
【０３０４】
実施例１において、導電膜を厚くすれば静電耐圧向上効果が上昇することを述べた。
【０３０５】
一方、導電膜の膜厚を厚くすることによる回路の共振周波数の変化が懸念点としてあった。
【０３０６】
即ち、無線チップは外部から一定の周波数の電波を入力して動作させるものである。
【０３０７】
そして、回路の共振周波数が外部から入力される電波の周波数と近い値であれば、無線チップが動作しやすくなる。
【０３０８】
一方、回路の共振周波数が外部から入力される電波の周波数と近い値でなければ、無線チップが動作しにくくなる。
【０３０９】
また、共振周波数はアンテナの巻き数又は回路設計によって、設計者が設定できるものである。
【０３１０】
したがって、導電膜を設けることにより、設計者が設定した共振周波数よりも、実際の共振周波数がずれてしまうと無線チップの性能が低下してしまうのである。
【０３１１】
そこで、本実施例では、導電膜の膜厚の違いによる共振周波数の影響を調べた。
【０３１２】
試料は、実施例１の比較構造の試料と、実施例１の構造４（図１７（Ｅ））において１０ｎｍの膜厚の酸化珪素を含有したインジウム錫酸化物膜（ＩＴＯ（ＳｉＯ２含有））を形成した試料と、実施例１の構造４において１００ｎｍの膜厚の酸化珪素を含有したインジウム錫酸化物膜（ＩＴＯ（ＳｉＯ２含有））を形成した試料と、を作製した。
【０３１３】
なお、構造及び導電膜の膜厚以外の他の構成は全て同一となるように試料を作製した。
【０３１４】
測定結果は以下のようになった。
【０３１５】
導電膜を設けていない比較構造（図１７（Ａ））の試料では、共振周波数は１５．５ＭＨｚであった。
【０３１６】
構造４（図１７（Ｅ））で膜厚を１０ｎｍとした試料では、共振周波数は１４．３ＭＨｚであった。
【０３１７】
構造４（図１７（Ｅ））で膜厚を１００ｎｍとした試料では、共振周波数は１３．０ＭＨｚであった。
【０３１８】
以上のことから、膜厚を厚くすればするほど、共振周波数のずれが大きくなることがわかった。
【０３１９】
本実施例の結果から、静電気破壊防止効果を向上させ、且つ、共振周波数の影響を下げるために、アンテナと重なる領域の導電膜の膜厚を他の領域の導電膜の膜厚よりも薄くするという構成を考え出した。（図１４参照）
【０３２０】
若しくは、アンテナと重なる領域の導電膜を除去しても良い。（図１５参照）
【０３２１】
但し、導電膜を除去した場合はその領域に局部的に電荷が蓄積されやすくなるので、図１４のようにアンテナと重なる領域には薄い導電膜を設けておく方が好ましい形態である。
【０３２２】
若しくは、アンテナと薄膜トランジスタを有する回路の間に導電膜を設ける構成としても良い。（図１１参照）
【符号の説明】
【０３２３】
１１  第１の絶縁体
１２  薄膜トランジスタを有する回路
１３  アンテナ
１４  保護膜
１５  第２の絶縁体
１６  導電膜
１７  導電膜
１８  導電膜
１９  導電膜
２０  導電膜
２１  導電膜
２２  導電膜
２３  導電膜
１０１  有機樹脂
１０２  繊維体
１０３  第１の導電膜
１０４  第１の絶縁膜
１０５  薄膜トランジスタを有する回路が設けられた層
１０６  アンテナが設けられた層
１０７  第２の絶縁膜
１０８  第２の導電膜
１０９  有機樹脂
１１０  繊維体
１１１  導電体
１１２  導電体
２０１  第１の絶縁体
２０２  下地絶縁膜上に回路が設けられた層
２０３  アンテナが設けられた層
２０４  保護膜
２０５  第２の絶縁体
２０６  導電膜
２０７  導電膜
２０８  導電膜
２０９  導電膜
２１０  導電膜
２１１  導電膜
２１２  導電膜
３００  基板
３０１  絶縁膜
３０２  金属膜
３０３  絶縁膜
３０４  第１の絶縁膜
３０５  薄膜トランジスタ
３０５ａ  半導体層
３０５ｂ  ゲート絶縁膜
３０５ｃ  ゲート電極
３０５ｄ  サイドウォール
３０５ｅ  サイドウォール
３０６  薄膜トランジスタ
３０６ａ  半導体層
３０６ｂ  ゲート絶縁膜
３０６ｃ  ゲート電極
３０６ｄ  サイドウォール
３０６ｅ  サイドウォール
３０７  第１の層間絶縁膜
３０８  第２の層間絶縁膜
３０９ａ  配線
３０９ｂ  配線
３０９ｃ  配線
３０９ｄ  配線
３１０  第３の層間絶縁膜
３１１  アンテナを有する層
３１１ａ  アンテナ
３１１ｂ  配線部
３１２  第２の絶縁膜
３１３  繊維体
３１４  有機樹脂
３１５  繊維体
３１６  有機樹脂
３１７  導電物
３１８  第４の層間絶縁膜
４００  繊維体
４０１  有機樹脂
５０１  第１の導電膜
５０２  第２の導電膜
５０３  第３の導電膜
５０４  第４の導電膜
５０５  第５の導電膜
５０６  第６の導電膜
５０７  第７の導電膜
５０８  第８の導電膜
８００  半導体装置
８１０  高周波回路
８２０  電源回路
８３０  リセット回路
８４０  クロック発生回路
８５０  データ復調回路
８６０  データ変調回路
８７０  制御回路
８８０  記憶回路
８９０  アンテナ
【図１】
2010097601.tif 000003
【図２】
2010097601.tif 000004
【図３】
2010097601.tif 000005
【図４】
2010097601.tif 000006
【図５】
2010097601.tif 000007
【図６】
2010097601.tif 000008
【図７】
2010097601.tif 000009
【図８】
2010097601.tif 000010
【図９】
2010097601.tif 000011
【図１０】
2010097601.tif 000012
【図１１】
2010097601.tif 000013
【図１２】
2010097601.tif 000014
【図１３】
2010097601.tif 000015
【図１４】
2010097601.tif 000016
【図１５】
2010097601.tif 000017
【図１６】
2010097601.tif 000018
【図１７】
2010097601.tif 000019
【図１８】
2010097601.tif 000020
【図１９】
2010097601.tif 000021